(57)【要約】【課題】  拠点毎に設置された端末装置のＣＭＭ及びカラープロファイルを管理することにより色の管理を一括して容易に行うこと。【解決手段】  各拠点Ｐに配置された端末装置２における、各端末装置の色、つまりそれぞれに接続されるモニタ２３またはデバイス３の色を管理する、ＯＳ及びアプリケーションソフトに含まれる色管理情報を収集する管理手段２１と、収集した色管理情報を送信する通信手段２２とを備え、管理サーバ１が複数の端末装置から送信された色管理情報を表す情報を表示することで各拠点の端末装置の色を管理するようにした。【選択図】      図１
2006259969.tif 000002
【特許請求の範囲】
【請求項１】
ネットワークを介して管理サーバと接続され、
コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する記憶手段と、
前記記憶手段を検索し、前記ＯＳまたはアプリケーションソフトに含まれるそれぞれの色管理情報を収集する収集手段と、
前記収集した色管理情報のそれぞれを収集元のＯＳまたはアプリケーションソフトと関連付けて前記管理サーバに送信する送信手段とを有することを特徴とする端末装置。
【請求項２】
前記収集手段は、予め登録されたＯＳまたはアプリケーションソフトについて、前記色管理情報の収集を行う請求項１に記載の端末装置。
【請求項３】
前記色管理情報は、ＣＭＭ（Ｃｏｌｏｒ  Ｍａｎａｇｅｍｅｎｔ  Ｍｏｄｕｌｅ）またはカラープロファイルを示す情報である請求項１または請求項２のいずれかに記載の端末装置。
【請求項４】
ネットワークを介して、複数の端末装置が接続され、
前記端末装置に含まれるコンピュータのＯＳ（Ｏｐｅｒａｔｉｎｇ  Ｓｙｓｔｅｍ）またはアプリケーションソフトと関連付けられ、前記ＯＳまたはアプリケーションソフトのそれぞれの実行時の色を管理するための色管理情報を、前記複数の端末装置のそれぞれから受け付けて、
前記受け付けた色管理情報を表す情報を、前記受け付けた端末装置、及び、前記ＯＳまたはアプリケーションソフトと関連付けて表示するための表示情報を生成する生成手段と、
前記表示情報に基づく表示をする表示手段とを有することを特徴とする管理サーバ。
【請求項５】
ネットワークを介して、複数の端末装置が接続され、
前記端末装置に含まれるコンピュータのＯＳ（Ｏｐｅｒａｔｉｎｇ  Ｓｙｓｔｅｍ）またはアプリケーションソフトと関連付けられ、前記ＯＳまたはアプリケーションソフトのそれぞれの実行時の色を管理するための色管理情報を、前記複数の端末装置のそれぞれから受け付けて、
前記受け付けた色管理情報を表す情報を、前記受け付けた端末装置、及び、前記ＯＳまたはアプリケーションソフトと関連付けて表示するための表示情報を生成する生成手段と、
前記端末装置に、前記表示情報を表示可能に送信する送信手段とを有することを特徴とする管理サーバ。
【請求項６】
ネットワークを介して、複数の端末装置が接続され、
前記端末装置に含まれるコンピュータのＯＳ（Ｏｐｅｒａｔｉｎｇ  Ｓｙｓｔｅｍ）またはアプリケーションソフトと関連付けられ、前記ＯＳまたはアプリケーションソフトのそれぞれの実行時の色を管理するための色管理情報を、前記複数の端末装置のそれぞれから受け付けて、
前記受け付けた色管理情報を表す情報を、前記受け付けた端末装置、及び、前記ＯＳまたはアプリケーションソフトと関連付けて表示するための表示情報を生成する生成手段と、
いずれかの前記端末装置からの要求を受けて、前記要求のあった端末装置に、前記表示情報を表示可能に送信する送信手段とを有することを特徴とする管理サーバ。
【請求項７】
前記生成手段は、更に、予め定められた前記ＯＳまたはアプリケーションソフトのそれぞれに対し推奨される色管理情報と前記受け付けた色管理情報とを比較し、それぞれについて、同じ場合には適と判定し、異なる場合には不適と判定し、前記表示情報を前記判定の結果を含んで生成する請求項４乃至請求項６のいずれかに記載の管理サーバ。
【請求項８】
複数の拠点に備えられた端末装置と、前記端末装置とはネットワークを介して接続される管理サーバを含み、前記端末装置の色を管理するための色管理システムであって、
前記端末装置は、
コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する記憶手段と、
前記記憶手段を検索し、前記ＯＳまたは前記アプリケーションソフトに含まれるそれぞれの色管理情報を収集する収集手段と、
前記収集した色管理情報のそれぞれを収集したＯＳまたはアプリケーションソフトと関連付けて前記管理サーバに送信する送信手段とを有し、
前記管理サーバは、
前記端末装置から送信される前記ＯＳまたはアプリケーションソフトと関連付けられた色管理情報を受け付けて、前記受け付けた色管理情報を表す情報を、前記受け付けた端末装置、及び、前記ＯＳまたはアプリケーションソフトと関連付けて表示するための表示情報を生成する生成手段と、
前記表示情報に基づく表示をする表示手段とを有する、
ことを特徴とする色管理システム。
【請求項９】
複数の拠点に備えられた端末装置と、前記端末装置とはネットワークを介して接続される管理サーバを含み、前記端末装置の色を管理するための色管理システムであって、
前記端末装置は、
コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する記憶手段と、
前記記憶手段を検索し、前記ＯＳまたは前記アプリケーションソフトに含まれるそれぞれの色管理情報を収集する収集手段と、
前記収集した色管理情報のそれぞれを収集したＯＳまたはアプリケーションソフトと関連付けて前記管理サーバに送信する送信手段とを有し、
前記管理サーバは、
前記端末装置から送信される前記ＯＳまたはアプリケーションソフトと関連付けられた色管理情報を受け付けて、前記受け付けた色管理情報を表す情報を、前記受け付けた端末装置、及び、前記ＯＳまたはアプリケーションソフトと関連付けて表示するための表示情報を生成する生成手段と、
前記端末装置に、前記表示情報を表示可能に送信する送信手段とを有する、
ことを特徴とする色管理システム。
【請求項１０】
複数の拠点に備えられた端末装置と、前記端末装置とはネットワークを介して接続される管理サーバを含み、前記端末装置の色を管理するための色管理システムであって、
前記端末装置は、
コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する記憶手段と、
前記記憶手段を検索し、前記ＯＳまたは前記アプリケーションソフトに含まれるそれぞれの色管理情報を収集する収集手段と、
前記収集した色管理情報のそれぞれを収集したＯＳまたはアプリケーションソフトと関連付けて前記管理サーバに送信する送信手段とを有し、
前記管理サーバは、
前記端末装置から送信される前記ＯＳまたはアプリケーションソフトと関連付けられた色管理情報を受け付けて、前記受け付けた色管理情報を表す情報を、前記受け付けた端末装置、及び、前記ＯＳまたはアプリケーションソフトと関連付けて表示するための表示情報を生成する生成手段と、
いずれかの前記端末装置からの要求を受けて、前記要求のあった端末装置に、前記表示情報を表示可能に送信する送信手段とを有する、
ことを特徴とする色管理システム。
【請求項１１】
複数の拠点に備えられた端末装置の色を管理するための色管理方法であって、
コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する段階と、
前記記憶されたＯＳまたはアプリケーションソフトに含まれるそれぞれの色管理情報を収集する段階と、
前記収集した色管理情報のそれぞれを収集したＯＳまたはアプリケーションソフトと関連付けて送信する段階と、
前記送信される前記ＯＳまたはアプリケーションソフトと関連付けられた色管理情報を受け付ける段階と、
前記受け付けた色管理情報を表す情報を、前記受け付けた端末装置、及び、前記ＯＳまたはアプリケーションソフトと関連付けて表示するための表示情報を生成する段階と、
前記表示情報に基づく表示をする段階とを含む、
ことを特徴とする色管理方法。
【請求項１２】
複数の拠点に備えられた端末装置の色を管理するための色管理方法であって、
コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する段階と、
前記記憶されたＯＳまたはアプリケーションソフトに含まれるそれぞれの色管理情報を収集する段階と、
前記収集した色管理情報のそれぞれを収集したＯＳまたはアプリケーションソフトと関連付けて送信する段階と、
前記送信される前記ＯＳまたはアプリケーションソフトと関連付けられた色管理情報を受け付ける段階と、
前記受け付けた色管理情報を表す情報を、前記受け付けた端末装置、及び、前記ＯＳまたはアプリケーションソフトと関連付けて表示するための表示情報を生成する段階と、
前記端末装置に、前記表示情報を表示可能に送信する段階とを含む、
ことを特徴とする色管理方法。
【請求項１３】
複数の拠点に備えられた端末装置の色を管理するための色管理方法であって、
コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する段階と、
前記記憶されたＯＳまたはアプリケーションソフトに含まれるそれぞれの色管理情報を収集する段階と、
前記収集した色管理情報のそれぞれを収集したＯＳまたはアプリケーションソフトと関連付けて送信する段階と、
前記送信される前記ＯＳまたはアプリケーションソフトと関連付けられた色管理情報を受け付ける段階と、
前記受け付けた色管理情報を表す情報を、前記受け付けた端末装置、及び、前記ＯＳまたはアプリケーションソフトと関連付けて表示するための表示情報を生成する段階と、
いずれかの前記端末装置からの要求を受けて、前記要求のあった端末装置に、前記表示情報を表示可能に送信する段階とを含む、
ことを特徴とする色管理システム。
【発明の詳細な説明】
【技術分野】
【０００１】
本発明は、拠点毎に配置された複数の端末装置における色の管理を行うためのその端末装置、管理サーバ、色管理システム及び色管理方法に関するものである。
【背景技術】
【０００２】
近年、デジタルカメラやスキャナから入力されたデータを用いて作成された画像データを印刷写真原稿とし、このような印刷写真原稿の確認は、デジタルデータに基づく画像をモニタ等に出力して行われる。例えば、複数の作業者やクライアントは、それぞれのモニタで出力して印刷写真原稿の確認を行うので、それらのモニタの出力色を一致させる必要がある。
【０００３】
また、印刷工程における校正においては、カラープルーフを用いて、原稿フィルムのレイアウトに間違いないか、色に間違いないか、文字の誤りがないか等を検査し、印刷物の仕上がりを事前に確認し、印刷の際には、印刷色を印刷見本の色に合わせるように調整が行われている。そのためにプリンタから出力されるカラープルーフの色彩や濃度は、所定の基準を満たすことが望まれる。
【０００４】
ところが、入力色はデジタルカメラやスキャナの特性により、出力色はモニタやプリンタの特性によりそれぞれ決まり、また、それぞれ扱う画像データは、例えばモニタはＲＧＢデータ、プリンタはＣＭＹＫデータを扱うのであるから、ＲＧＢデータとＣＭＹＫデータ間の変換によって出力色が変わってしまう。これらの理由から、厳密な色再現は困難であったが、画像データと色との関係の色特性を示すカラープロファイルに基づいて色再現を行うカラーマネージメントにより、各端末装置で接続されているスキャナ、モニタ、及び、プリンタなどのデバイスによる色再現が可能となった。
【０００５】
また、カラーマネージメントは、ＣＭＭ（Ｃｏｌｏｒ  Ｍａｎａｇｅｍｅｎｔ  Ｍｏｄｕｌｅ）やカラープロファイルに基づいて行われるもので、端末装置において、ＯＳ（Ｏｐｅｒａｔｉｎｇ  Ｓｙｓｔｅｍ）レベル、または、アプリケーションソフトレベルで色をコントロールするために、ＯＳ及びアプリケーションソフトのそれぞれの中にＣＭＭ及び各種カラープロファイルが設定されている。
【０００６】
一方、カラープロファイルを管理するために、例えば、記憶部に記憶されている印刷プロファイルの更新に応じ、色変換部に取得されている印刷プロファイルの自動更新を行うものがある（例えば、特許文献１参照。）。
【０００７】
また、印刷プロファイルは、ＯＳ、デバイス、または、所望の色に応じて複数のものがあり、色変換部にはそれらの中のいずれかを取得させることができ、各色変換部に対し、適切な印刷プロファイルを取得するようになされる。したがって、適切な印刷プロファイルが取得されていれば、自動更新されることにより、印刷プロファイルを適切に保つことができる。しかしながら、色変換部に取得されている印刷プロファイルが適切でなければ、更新されたとしても、適切な色とは異なる色で出力されてしまうことになる。
【０００８】
【特許文献１】特開２００３−１１０８５７号公報
【発明の開示】
【発明が解決しようとする課題】
【０００９】
そこで、上述のような問題を回避するために、それぞれの端末装置について、どのような入力色あるいは出力色となるように管理されているかを管理する必要がある。つまり、各端末装置に設定されているＣＭＭ及び各種カラープロファイルを管理する必要がある。
【００１０】
しかしながら、ＣＭＭ及び各種カラープロファイルは、端末装置のＯＳやアプリケーションソフトによって様々なものが設定されるもので、その端末装置の使用者が把握しきれず、また、専門知識を有する専任の管理者が管理しようとしても、例えば、印刷業界において端末装置は、顧客であるクライアント、外注であるデザイナー、及び、印刷現場の作業者等が使用するもので、離れた拠点に設置されるものであるから、各拠点に設置された端末装置に設定されているＣＭＭ及び各種カラープロファイルを常に管理することは容易ではない。
【００１１】
本発明は、上記事情に鑑みてなされたものであり、その目的とするところは、拠点毎に設置された端末装置のＣＭＭ及びカラープロファイルを管理することにより色の管理を一括して容易に行うことが可能な端末装置、管理サーバ、色管理システム及び色管理方法を提供することにある。
【課題を解決するための手段】
【００１２】
上記課題を解決するために、請求項１記載の発明は、  ネットワークを介して管理サーバと接続され、コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する記憶手段と、前記記憶手段を検索し、前記ＯＳまたはアプリケーションソフトに含まれるそれぞれの色管理情報を収集する収集手段と、前記収集した色管理情報のそれぞれを収集元のＯＳまたはアプリケーションソフトと関連付けて前記管理サーバに送信する送信手段とを有することを特徴としている。
【００１３】
また、請求項２記載の発明は、前記収集手段は、予め登録されたＯＳまたはアプリケーションソフトについて、前記色管理情報の収集を行うことを特徴としている。
【００１４】
また、請求項３記載の発明は、前記色管理情報は、ＣＭＭ（Ｃｏｌｏｒ  Ｍａｎａｇｅｍｅｎｔ  Ｍｏｄｕｌｅ）またはカラープロファイルを示す情報であることを特徴としている。
【００１５】
また、請求項４記載の発明は、ネットワークを介して、複数の端末装置が接続され、前記端末装置に含まれるコンピュータのＯＳ（Ｏｐｅｒａｔｉｎｇ  Ｓｙｓｔｅｍ）またはアプリケーションソフトと関連付けられ、前記ＯＳまたはアプリケーションソフトのそれぞれの実行時の色を管理するための色管理情報を、前記複数の端末装置のそれぞれから受け付けて、前記受け付けた色管理情報を表す情報を、前記受け付けた端末装置、及び、前記ＯＳまたはアプリケーションソフトと関連付けて表示するための表示情報を生成する生成手段と、前記表示情報に基づく表示をする表示手段とを有することを特徴としている。
【００１６】
また、請求項５記載の発明は、ネットワークを介して、複数の端末装置が接続され、前記端末装置に含まれるコンピュータのＯＳ（Ｏｐｅｒａｔｉｎｇ  Ｓｙｓｔｅｍ）またはアプリケーションソフトと関連付けられ、前記ＯＳまたはアプリケーションソフトのそれぞれの実行時の色を管理するための色管理情報を、前記複数の端末装置のそれぞれから受け付けて、前記受け付けた色管理情報を表す情報を、前記受け付けた端末装置、及び、前記ＯＳまたはアプリケーションソフトと関連付けて表示するための表示情報を生成する生成手段と、前記端末装置に、前記表示情報を表示可能に送信する送信手段とを有することを特徴としている。
【００１７】
また、請求項６記載の発明は、ネットワークを介して、複数の端末装置が接続され、前記端末装置に含まれるコンピュータのＯＳ（Ｏｐｅｒａｔｉｎｇ  Ｓｙｓｔｅｍ）またはアプリケーションソフトと関連付けられ、前記ＯＳまたはアプリケーションソフトのそれぞれの実行時の色を管理するための色管理情報を、前記複数の端末装置のそれぞれから受け付けて、前記受け付けた色管理情報を表す情報を、前記受け付けた端末装置、及び、前記ＯＳまたはアプリケーションソフトと関連付けて表示するための表示情報を生成する生成手段と、いずれかの前記端末装置からの要求を受けて、前記要求のあった端末装置に、前記表示情報を表示可能に送信する送信手段とを有することを特徴としている。
【００１８】
また、請求項７記載の発明は、前記生成手段は、更に、予め定められた前記ＯＳまたはアプリケーションソフトのそれぞれに対し推奨される色管理情報と前記受け付けた色管理情報とを比較し、それぞれについて、同じ場合には適と判定し、異なる場合には不適と判定し、前記表示情報を前記判定の結果を含んで生成することを特徴としている。
【００１９】
また、請求項８記載の発明は、複数の拠点に備えられた端末装置と、前記端末装置とはネットワークを介して接続される管理サーバを含み、前記端末装置の色を管理するための色管理システムであって、前記端末装置は、コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する記憶手段と、前記記憶手段を検索し、前記ＯＳまたは前記アプリケーションソフトに含まれるそれぞれの色管理情報を収集する収集手段と、前記収集した色管理情報のそれぞれを収集したＯＳまたはアプリケーションソフトと関連付けて前記管理サーバに送信する送信手段とを有し、前記管理サーバは、前記端末装置から送信される前記ＯＳまたはアプリケーションソフトと関連付けられた色管理情報を受け付けて、前記受け付けた色管理情報を表す情報を、前記受け付けた端末装置、及び、前記ＯＳまたはアプリケーションソフトと関連付けて表示するための表示情報を生成する生成手段と、前記表示情報に基づく表示をする表示手段とを有することを特徴としている。
【００２０】
また、請求項９記載の発明は、複数の拠点に備えられた端末装置と、前記端末装置とはネットワークを介して接続される管理サーバを含み、前記端末装置の色を管理するための色管理システムであって、前記端末装置は、コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する記憶手段と、前記記憶手段を検索し、前記ＯＳまたは前記アプリケーションソフトに含まれるそれぞれの色管理情報を収集する収集手段と、前記収集した色管理情報のそれぞれを収集したＯＳまたはアプリケーションソフトと関連付けて前記管理サーバに送信する送信手段とを有し、前記管理サーバは、前記端末装置から送信される前記ＯＳまたはアプリケーションソフトと関連付けられた色管理情報を受け付けて、前記受け付けた色管理情報を表す情報を、前記受け付けた端末装置、及び、前記ＯＳまたはアプリケーションソフトと関連付けて表示するための表示情報を生成する生成手段と、前記端末装置に、前記表示情報を表示可能に送信する送信手段とを有することを特徴としている。
【００２１】
また、請求項１０記載の発明は、複数の拠点に備えられた端末装置と、前記端末装置とはネットワークを介して接続される管理サーバを含み、前記端末装置の色を管理するための色管理システムであって、前記端末装置は、コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する記憶手段と、前記記憶手段を検索し、前記ＯＳまたは前記アプリケーションソフトに含まれるそれぞれの色管理情報を収集する収集手段と、前記収集した色管理情報のそれぞれを収集したＯＳまたはアプリケーションソフトと関連付けて前記管理サーバに送信する送信手段とを有し、前記管理サーバは、前記端末装置から送信される前記ＯＳまたはアプリケーションソフトと関連付けられた色管理情報を受け付けて、前記受け付けた色管理情報を表す情報を、前記受け付けた端末装置、及び、前記ＯＳまたはアプリケーションソフトと関連付けて表示するための表示情報を生成する生成手段と、いずれかの前記端末装置からの要求を受けて、前記要求のあった端末装置に、前記表示情報を表示可能に送信する送信手段とを有することを特徴としている。
【００２２】
また、請求項１１記載の発明は、複数の拠点に備えられた端末装置の色を管理するための色管理方法であって、コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する段階と、前記記憶されたＯＳまたはアプリケーションソフトに含まれるそれぞれの色管理情報を収集する段階と、前記収集した色管理情報のそれぞれを収集したＯＳまたはアプリケーションソフトと関連付けて送信する段階と、前記送信される前記ＯＳまたはアプリケーションソフトと関連付けられた色管理情報を受け付ける段階と、前記受け付けた色管理情報を表す情報を、前記受け付けた端末装置、及び、前記ＯＳまたはアプリケーションソフトと関連付けて表示するための表示情報を生成する段階と、前記表示情報に基づく表示をする段階とを含むことを特徴としている。
【００２３】
また、請求項１２記載の発明は、複数の拠点に備えられた端末装置の色を管理するための色管理方法であって、コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する段階と、前記記憶されたＯＳまたはアプリケーションソフトに含まれるそれぞれの色管理情報を収集する段階と、前記収集した色管理情報のそれぞれを収集したＯＳまたはアプリケーションソフトと関連付けて送信する段階と、前記送信される前記ＯＳまたはアプリケーションソフトと関連付けられた色管理情報を受け付ける段階と、前記受け付けた色管理情報を表す情報を、前記受け付けた端末装置、及び、前記ＯＳまたはアプリケーションソフトと関連付けて表示するための表示情報を生成する段階と、前記端末装置に、前記表示情報を表示可能に送信する段階とを含むことを特徴としている。
【００２４】
また、請求項１３記載の発明は、複数の拠点に備えられた端末装置の色を管理するための色管理方法であって、コンピュータのＯＳ（Ｏｐｅｒａｔｉｎｇ  Ｓｙｓｔｅｍ）及びアプリケーションソフトであって、それぞれの実行時の色を管理するための色管理情報を含む前記ＯＳ及びアプリケーションソフトを記憶する段階と、前記記憶されたＯＳまたはアプリケーションソフトに含まれるそれぞれの色管理情報を収集する段階と、前記収集した色管理情報のそれぞれを収集したＯＳまたはアプリケーションソフトと関連付けて送信する段階と、前記送信される前記ＯＳまたはアプリケーションソフトと関連付けられた色管理情報を受け付ける段階と、前記受け付けた色管理情報を表す情報を、前記受け付けた端末装置、及び、前記ＯＳまたはアプリケーションソフトと関連付けて表示するための表示情報を生成する段階と、いずれかの前記端末装置からの要求を受けて、前記要求のあった端末装置に、前記表示情報を表示可能に送信する段階とを含む、ことを特徴としている。
【発明の効果】
【００２５】
本発明にかかる端末装置、管理サーバ、色管理システム及び色管理方法によれば、拠点毎に備えられた複数の端末装置のＯＳ（Ｏｐｅｒａｔｉｎｇ  Ｓｙｓｔｅｍ）またはアプリケーションソフトに含まれるそれぞれの色管理情報により、管理サーバで各端末装置の色を一括して容易に管理することができる。また、各端末装置の色管理情報を表す情報を表示することにより、目視で把握することができ、これにより色について端末装置に問題があれば、それに対する是正措置を促すことが可能となる。
【発明を実施するための最良の形態】
【００２６】
［第１の実施の形態］
以下、本発明に係る端末装置及び管理サーバを含む第１の実施の形態としての色管理システムの好適な一実施形態について、図面を参照しながら具体的に説明する。
【００２７】
本発明の色管理システムは、各拠点に配置された端末装置における、各端末装置に接続されるモニタまたはプリンタなどの出力色、または、接続されるスキャナなどの入力色（以下、モニタ、プリンタ及びスキャナを一纏めにし、「デバイス」ということがある。また、出力色及び入力色を纏めて「入出力色」ということがある。）を管理する色管理情報を収集する収集手段と収集した色管理情報を送信する送信手段とを備え、管理サーバが複数の端末装置から送信された色管理情報を表す情報を表示することで、各拠点の端末装置の色を管理するためのものである。
【００２８】
ここで、入出力色は、ＯＳ上またはアプリケーションソフト上で行われるカラーマネージメントのための、ＯＳまたはアプリケーションソフトのそれぞれの中に設定されている、例えば、ＲＧＢデータをＣＭＹＫデータに変換するための変換エンジンであるＣＭＭ（Ｃｏｌｏｒ  Ｍａｎａｇｅｍｅｎｔ  Ｍｏｄｕｌｅ）やＲＧＢデータまたはＣＭＹＫデータと色との関係の色特性を示すカラープロファイルにより定まる。したがって、ＣＭＭ及びカラープロファイルを示す情報（または、そのもの）が、色管理情報ということになる。
【００２９】
まず、本実施形態における色管理システムの構成について、図面を参照しながら詳細に説明する。
【００３０】
〔システム構成〕
図１は、当該色管理システムのシステム構成を示す機能ブロック図である。本発明に係る管理サーバ１は、専用通信回線やインターネット等のネットワークＮにより、遠隔地にある複数の拠点Ｐ（図では、Ｐａ、Ｐｂ、Ｐｃ）と接続され、各拠点Ｐには端末装置２（図では、２ａ、２ｂ、２ｃ）が設置されている。
【００３１】
ここで、複数の拠点Ｐは、例えば、印刷会社、印刷会社の外注、クライアントなどである。また、拠点Ｐは、図１の各３つに限らず任意の数で良い。
【００３２】
（端末装置）
端末装置２は、いわゆる、コンピュータ端末であって、キーボードやマウス等の入力手段２４（図では、２４ａ、２４ｂ、２４ｃ）と、例えば、デバイスの１つであり画像出力手段として画像データに基づいて印刷写真原稿等のカラー画像を表示するＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）などのモニタ２３（図１では、２３ａ、２３ｂ、２３ｃ）と、各種情報の送受信を行う通信手段２２（図１では、２２ａ、２２ｂ、２２ｃ）と、ＯＳ、アプリケーションソフトなど、または、本発明に係る色管理情報を収集するための色管理情報収集用ソフトのプログラム、及び、画像データ等を記憶する記憶手段２５（図１では、２５ａ、２５ｂ、２５ｃ）と、モニタ２３の表示を制御する表示制御手段としての機能、ＯＳ、アプリケーションソフトなどのプログラムを実行する機能、色管理情報収集用ソフトのプログラムを実行することによりＯＳ、アプリケーションソフトに設定された色管理情報を収集する収集手段としての機能を備え、各種情報を受け付ける管理手段２１（図１では、２１ａ、２１ｂ、２１ｃ）と、を備える。さらに、端末装置２には、例えば入力手段としてのスキャナまたは画像出力手段としてのプリンタなどのデバイス３（図１では、３ａ、３ｂ、３ｃ）が接続されている。図１に示す端末装置２に接続されるデバイスの数は一例であり任意の数で良い。
【００３３】
また、管理手段２１は、受け付けた各種情報をネットワークＮを介して管理サーバ１と送受信するウェブブラウザ機能を有する。そして、このウェブブラウザ機能を用いて、通信手段２２を介し収集した色管理情報を収集元のＯＳまたはアプリケーションソフトと関連付けて管理サーバ１に送信する。また、色管理情報とともに、端末装置２を識別するための識別情報などの付帯情報を付加して、通信手段２２を介して送信するようになっている。
【００３４】
ここで、ＯＳ及びアプリケーションソフトのそれぞれのプログラムには、それぞれ所定の位置にＣＭＭ及びカラープロファイルが設定されていて、ＯＳまたはアプリケーションソフトを実行したときに、その設定されたＣＭＭ及びカラープロファイルに基づいて、カラーマネージメントは行われるようになされている。したがって、ＣＭＭ及びカラープロファイルが、色を管理することになる。
【００３５】
また、カラープロファイルには、モニタの色特性を示すモニタプロファイル、ＲＧＢに対する色再現範囲を示す、例えばｓＲＧＢのようなＲＧＢプロファイル、また、ＣＭＹＫ対する色再現範囲を示す、ＣＭＹＫプロファイルなどがある。これ以外にも、プリンタの色特性を示すプリンタプロファイル、印刷機で出力する色特性を示し、複数の用紙種類ごとの印刷プロファイルなど様々なプロファイルや、色変換特性を示すＬＵＴ（Ｌｏｏｋ  ｕｐ  ｔａｂｌｅ）などのカラープロファイルがある。しかしながら、図等が煩雑になるのを避けるため、本例の説明では、モニタプロファイル、ＲＧＢプロファイル、及び、ＣＭＹＫプロファイルを扱う場合を例に説明することにする。
【００３６】
また、管理手段２１の収集手段としての機能は、色管理情報収集用ソフトのプログラムを実行して、ＯＳ、アプリケーションソフトに設定された色管理情報を収集するが、上述したように色は、ＣＭＭ及びカラープロファイルにより定まるものであるから、ＯＳ及びアプリケーションソフトのそれぞれに設定されているＣＭＭ及びカラープロファイルを示す情報を色管理情報として収集する。そのために、色管理情報収集用ソフトのプログラムには、収集対象のＯＳまたはアプリケーションソフト、各収集対象のプログラムにおける色管理情報の記載場所が調査内容として予め登録されていて、その収集内容に基づいて、収集対象となるＯＳまたはアプリケーションソフトからＣＭＭ、または、カラープロファイルを示す情報を色管理情報として収集する。また、収集内容の登録は、各収集対象についての収集内容を示すプラグインモジュール（ｐｌｕｇ−ｉｎ  ｍｏｄｕｌｅ）をそれぞれ登録して行う。また、抽出するＣＭＭまたはカラープロファイルを示す情報は、本例ではそれぞれファイル名を用いるものとする。
【００３７】
（管理サーバ）
管理サーバ１は、いわゆる、コンピュータ端末であって、コンピュータ本体と、キーボードやマウス等の入力手段１６と、ＣＲＴやＬＣＤなどのモニタ１４とを備えている。
【００３８】
また、管理サーバ１は、ネットワークＮを介して情報の送受信を行う通信手段である通信部１１を備え、さらに、モニタ１４の表示を制御する表示制御手段としての機能を備え、ネットワークＮ及び通信部１１を介して各種情報を受け付ける管理手段１３と、管理手段１３で受け付ける端末装置２から送信される色管理情報を受け付けた端末装置２と関連付けて記憶する記憶手段としての機能を有する色管理情報記憶手段１２を有する。
【００３９】
また、詳細は後述するが、色管理情報記憶手段１２に記憶された色管理情報と付帯情報とから、各拠点Ｐの端末の色管理情報を示す情報を、例えば、モニタ１４で表示するための表示情報を生成する生成手段１５を有する。また、モニタ１４は、管理手段１３により表示制御され、生成された表示情報に基づく表示を行う。
【００４０】
〔色管理方法〕
次に、本色管理システムで行う色管理方法の一例について図を用いて説明する。図２は、色管理方法の手順の一例を示すフローチャートである。
【００４１】
図２によれば、作業者が端末装置２の入力手段２４を用いて所定の操作をすると、管理手段２１は、その操作を受け、色管理情報収集用ソフトのプログラムを起動し、まず、図３に示す収集画面２３１をモニタ２３に表示させる（ステップＳ１０１、以下「ステップＳ１０１」は「Ｓ１０１」のように省略して表す。他のステップも同様。）。そして、作業者が収集画面２３１を操作することにより、管理手段２１は、色管理情報を収集する（Ｓ１０２）。
【００４２】
具体的には、作業者が、マウス等によりカーソルを移動させて、開始キー２３２をクリックすると、管理手段２１は、記憶手段２５を検索し、色管理情報収集用ソフトに予め登録されている調査内容に基づいて、ＯＳについてのＣＭＭ及びカラープロファイルのファイル名を収集する。また、開始キー２３３をクリックすると、管理手段２１は、記憶手段２５を検索し、色管理情報収集用ソフトに予め登録されている調査内容に基づいて、アプリケーションソフトについてのＣＭＭ及びカラープロファイルのファイル名を収集する。また、ＣＭＭ及びカラープロファイルの各ファイルのファイルサイズやファイルの更新日時なども合わせて収集しておく。
【００４３】
また、追加キー２３４は、各収集対象についてのプラグインモジュールが登録されていない場合に用いるもので、追加キー２３４をクリックすると、図９に示すようなマニュアル指定画面２３８が表示され、アプリケーションソフト名、バージョン、ＣＭＭ設定、ＣＭＭバージョン、カラープロファイル設定（モニタプロファイル、ＲＧＢプロファイル、ＣＭＹＫプロファイル）等の入力を作業者が行うことにより、その入力結果を管理手段２１が収集するようになっている。
【００４４】
また、図３に示す一覧キー２３５は、収集した色管理情報の一覧表示を行うためのもので、一覧キー２３５をクリックすると、図８に収集情報一覧表示画面２３９の一例を示すが、収集した結果に基づいてＯＳ及びアプリケーションソフトに対する、それぞれのバージョン、ＣＭＭ名、ＣＭＭバージョン及び各種カラープロファイルとそのサイズ、更新日時等がモニタ２３に表示される。
【００４５】
設定キー２３６は、送信先などの各種設定などに用いるもので、設定キー２３６をクリックすると図示しない設定画面が表示され送信先などの設定が可能となる。
【００４６】
上記収集が済み、作業者が送信キー２３７をクリックすると（Ｓ１０３、Ｙ）、管理手段２１は、上述の図８の収集情報一覧表示画面２３９に示すような内容の情報、すなわちＯＳまたはアプリケーションソフトそれぞれの色管理情報と、端末装置名を付帯情報として付加し、通信手段２２を介して管理サーバ１に送信する（Ｓ１０４）。端末装置名は予め端末装置２に登録したものを用いることができる。
【００４７】
また、上記の収集画面２３１を用いた入力等は一例であって、上記に限られるものではない。また、色管理情報や付帯情報の送信は、上述のように作業者が収集画面２３１を用いて行う方法に限らず、例えば、管理手段２１が定期的に色管理情報収集用ソフトのプログラムを起動し、色管理情報の収集を行い、付帯情報を付して通信手段２２を介して管理サーバ１に自動的に送信するようなことも可能である。
【００４８】
そして、管理サーバ１の管理手段１３は、通信部１１を介して色管理情報及び付帯情報を受信すると（Ｓ１０５、Ｙ）、図４に示すような構造で、端末装置名と対応させて、ＯＳ及びアプリケーションソフトとそれぞれのバージョン、それぞれに設定されているＣＭＭ名、ＣＭＭバージョン及び各種カラープロファイルを示すファイル名、そのサイズ、更新日時等をデータベース化し、色管理情報記憶手段１２に記憶する（Ｓ１０６）。図４では、詳細な内容を省略したが、各端末装置について、図８に示したような内容が記憶されている。
【００４９】
次に、管理サーバ１の生成手段１５は、モニタ１４に各端末装置２についての色管理情報を表す情報を表示するための表示情報を生成し（Ｓ１０７）、管理手段１３は、モニタ１４を制御して、表示情報に基づいて各端末装置２についての色管理情報を表す情報を表示する（Ｓ１０８）。
【００５０】
具体的には、生成手段１５は、色管理情報記憶手段１２に記憶された、色管理情報、及び、端末装置名などの情報を端末装置及びＯＳまたはアプリケーションソフトごとに配置するなどの編集を行い、例えば、図５に示すような各拠点Ｐの端末装置ごとに一覧表で示す表示情報を生成する。図５は、各端末装置２について端末装置名、及び、ＯＳ及びアプリケーションソフトについての判定結果を示した。ここで、判定について述べる。まず、ＯＳのバージョン毎に推奨するＣＭＭ設定、及び、カラープロファイル設定を、更に、各アプリケーションソフトに推奨するＣＭＭ設定、及び、カラープロファイル設定を推奨色管理情報として予め定めておく。図６に、一例としてのＯＳのバージョンに推奨するＣＭＭ、及び、カラープロファイルと、各アプリケーションソフトに推奨するＣＭＭ、及び、カラープロファイルを示す推奨色管理情報を示した。そして、生成手段１５は、各端末装置について、色管理情報からＯＳとそのバージョンを抽出し、そのＯＳのバージョンの推奨色管理情報と色管理情報とを比較し、色管理情報からアプリケーションソフトとそのバージョンを抽出し、そのアプリケーションソフトのバージョンの推奨色管理情報と色管理情報とを比較して、同じ設定であれば「ＯＫ（適）」、異なる設定であれば「ＮＧ（不適）」と判定する。ここで、図の「分析」は、例えば、上記判定などであり、「編集」は、一覧表にすることなどである。また、図５には、各端末装置のＯＳおよびアプリケーションソフトについて、それぞれＣＭＭ及び各カラープロファイルがＯＫの場合を「ＯＫ」とし、ＣＭＭ及び各カラープロファイルのいずれか１つがＮＧの場合を「ＮＧ」として示した。
【００５１】
そして、管理者はこの表示を見ることにより、接続された各拠点Ｐの端末装置２の色管理情報を表す情報を一括して容易に確認することができる。また、図５に示すように判定結果を表示することにより不合格すなわち不適な設定がなされている端末装置を一目で把握することができる。これにより管理者は、その拠点の端末装置に、推奨のＣＭＭまたはカラープロファイルにするように是正措置を促すことが可能となる。
【００５２】
また、図５に示した一覧表の行を画面上でクリックすることにより、そのクリックされた端末装置名の色管理情報を表す詳細情報を表示するようにしてもよい。例えば、図７に示すように、クリックされた端末装置について、ＯＳ及びアプリケーションソフトについてのそれぞれ設定されているＣＭＭ及びカラープロファイルを示すファイル名と、各ＣＭＭ及びカラープロファイルについての判定結果を表示する。これによれば、各端末について、色管理情報をの詳細を容易に確認でき、さらにＯＳまたはアプリケーションソフトについての適・不適を容易に把握できる。
【００５３】
［第２の実施の形態］
次に、本発明に係る第２の実施の形態について説明する。なお、以下には第１の実施の形態と実質的に同様の構成については、詳細な説明を省略し、主に異なる点について述べる。
【００５４】
本実施の形態の管理サーバ１は、生成手段１５で生成した表示情報を各拠点Ｐの端末装置２で表示するようにしたものである。
【００５５】
〔システム構成〕
端末装置２の管理手段２１は、受け付けた各種情報をネットワークＮを介して管理サーバ１と送受信するウェブブラウザ機能、また、電子メールの送受信を行う電子メール機能を有している。それにより、管理サーバ１から送信される画面情報をモニタ２３で表示することや、さらに、電子メール機能により例えば管理サーバ１から送信される電子メールをモニタ２３で表示することが可能となる。
【００５６】
管理サーバ１の管理手段１３は、生成された一覧表示情報を端末装置２で表示可能な画面情報として通信部１１を介して端末装置２に送信する機能、電子メールの送受信を行う電子メール機能を有し、作成された一覧表示情報を電子メールで通信部１１を介して端末装置２に送信する機能を有する。本発明の送信手段は、管理手段１３及び通信部１１で構成される。
【００５７】
〔色管理方法〕
次に、本実施の形態の色管理方法の手順の一例を図を用いて説明する。図１０は、色管理方法の手順の一例を示すフローチャートである。
【００５８】
Ｓ２０１乃至Ｓ２０７は、第１の実施の形態で説明した図２に示したＳ１０１乃至Ｓ１０７に相当する。そして、Ｓ２０８では、管理手段１３は、生成された表示情報を端末装置２で表示可能な画面情報として通信部１１を介して端末装置２に送信する。そして、端末装置２は、表示情報示す画面情報を受けると（Ｓ２０９、Ｙ）、管理手段２１は、モニタ２３で画面情報を表示するように制御し、各拠点Ｐの端末装置２についての色管理情報を表す情報を表示する（Ｓ２１０）。
【００５９】
また、管理手段１３は、生成された表示情報を電子メールで通信部１１を介して端末装置２に送信し、端末装置２は、電子メールを受けて表示するようにしてもよい。
【００６０】
このように、端末装置２で表示を見ることにより、接続された各拠点Ｐの端末装置の色管理情報を表す情報を容易に確認することができる。これにより、例えば、クライアントと印刷現場の作業者等が、端末装置について容易に確認でき、さらに、上述の判定結果を確認することにより、自己もしくは他の端末装置が不適な場合に是正することが可能となる。
【００６１】
［第３の実施の形態］
次に、本発明に係る第３の実施の形態について説明する。本実施の形態の管理サーバ１は、生成手段１５で生成した表示情報を、拠点Ｐからの要求に応じて、要求のあった各拠点Ｐで表示するようにしたものである。
【００６２】
図１１は、本実施の形態の色管理方法の手順の一例を示すフローチャートである。この場合、例えば色管理情報及び付帯情報は、第１の実施の形態で説明した図２に示したＳ１０１乃至Ｓ１０６と同様にして、色管理情報記憶手段１２に記憶されているものとする。
【００６３】
図１１によれば、作業者が、端末装置２の入力手段２４を操作し、表示情報を要求する旨の送信を行うための入力を行うと（Ｓ３０１、Ｙ）、管理手段２１は管理サーバ１に、表示情報提供要求を送信する（Ｓ３０２）。
【００６４】
管理サーバ１は、表示情報提供要求を受けると（Ｓ３０３、Ｙ）、生成手段１５は、色管理情報記憶手段１２に記憶されている色管理情報及び付帯情報からＳ１０７と同様に色管理情報を表す情報を表示するための表示情報を生成し（Ｓ３０４）、生成された表示情報を端末装置２で表示可能な画面情報として通信部１１を介して要求元の端末装置２に送信する（Ｓ３０５）。
【００６５】
そして、端末装置２は、表示情報示す画面情報を受けると（Ｓ３０６、Ｙ）、管理手段２１は、モニタ２３で画面情報を表示するように制御し、各拠点Ｐの端末装置２の色管理情報を表す情報を表示する（Ｓ３０７）。
【００６６】
また、Ｓ３０１の入力の際に、図１２に示すような要求画面２４１を表示させて、作業者が、要求画面２４１の複数の端末名入力欄２４２（ａ、ｂ、ｃ、ｄ、ｅ、ｆ）を用いて、プルダウンメニューにより比較対象端末装置を２つ以上選択して表示情報提供要求を送信することにより、生成手段１５が、選択された端末装置２についての色管理情報を表す情報を表示するための表示情報を生成するようにすることも可能である。この表示によれば、互いのＣＭＭ及びカラープロファイルを確認できるので、色の合った端末装置２を用いることができる。
【図面の簡単な説明】
【００６７】
【図１】本発明に係る色管理システムのシステム構成を示す機能ブロック図である。
【図２】本発明に係る色管理方法の手順を示すフローチャートである。
【図３】端末装置のモニタに表示される収集画面の一例を示す図である。
【図４】色管理情報記憶手段に記憶する色管理情報の構造を説明するための説明図である。
【図５】管理サーバのモニタに表示される一覧表の一例を示す図である。
【図６】推奨色管理情報について説明するための図である。
【図７】管理サーバのモニタに表示される詳細情報の表示の一例を示す図である。
【図８】端末装置のモニタに表示される収集情報一覧表示画面の一例を示す図である。
【図９】端末装置のモニタに表示されるマニュアル指定画面の一例を示す図である。
【図１０】第２の実施の形態における色管理方法の手順を示すフローチャートである。
【図１１】第３の実施の形態における色管理方法の手順を示すフローチャートである。
【図１２】端末装置の表示手段に表示される要求画面の一例を示す図である。
【符号の説明】
【００６８】
１  管理サーバ
１１  通信部
１２  色管理情報記憶手段
１３  管理手段
１４  モニタ
１５  生成手段
１６  入力手段
２  端末装置
２１  管理手段
２２  通信手段
２３  モニタ
２４  入力手段
２５  記憶手段
３  デバイス
Ｐ  拠点
Ｎ  ネットワーク
【図１】
2006259969.tif 000003
【図２】
2006259969.tif 000004
【図３】
2006259969.tif 000005
【図４】
2006259969.tif 000006
【図５】
2006259969.tif 000007
【図６】
2006259969.tif 000008
【図７】
2006259969.tif 000009
【図８】
2006259969.tif 000010
【図９】
2006259969.tif 000011
【図１０】
2006259969.tif 000012
【図１１】
2006259969.tif 000013
【図１２】
2006259969.tif 000014